(57)【要約】【課題】回路負荷を低減して効率的にスクロールノイズの発生を抑えるとともに、光源の寿命への悪影響を低減すること。【解決手段】本発明の電気光学装置は、複数の画素を有する表示パネルと、所定の周期でタイミング信号を出力する信号出力回路と、前記表示パネルを、前記タイミング信号が出力される周期で駆動する駆動回路と、所定の光源制御信号に従った交流駆動によって前記表示パネルに光を照射する光源と、前記タイミング信号の出力タイミングから前記所定の周期の整数倍の時間が経過する前までの期間において、当該出力タイミングと所定の関係になるタイミングで、前記光源制御信号の周波数を所定数範囲内で変更する周波数制御回路とを具備することを特徴とする。【選択図】図４
2009163079.tif 000002
【特許請求の範囲】
【請求項１】
複数の画素を有する表示パネルと、
所定の周期でタイミング信号を出力する信号出力回路と、
前記表示パネルを、前記タイミング信号が出力される周期で駆動する駆動回路と、
所定の光源制御信号に従った交流駆動によって前記表示パネルに光を照射する光源と、
前記タイミング信号の出力タイミングから前記所定の周期の整数倍の時間が経過する前
までの期間において、当該出力タイミングと所定の関係になるタイミングで、前記光源制
御信号の周波数を所定数範囲内で変更する周波数制御回路と
を具備することを特徴とする電気光学装置。
【請求項２】
前記周波数制御回路は、前記タイミング信号の出力タイミング以降であって、前記光源
制御信号が所定の位相となるいずれかのタイミングで、当該光源制御信号の周波数を変更
する
ことを特徴とする請求項１に記載の電気光学装置。
【請求項３】
前記周波数制御回路は、前記タイミング信号の出力タイミングで、前記光源制御信号の
周波数を変更する
ことを特徴とする請求項１に記載の電気光学装置。
【請求項４】
請求項１乃至請求項３のいずれかに記載の電気光学装置と、
前記光源から照射される光が前記表示パネルに照射されることにより得られる変調光を
投射する投射レンズと
を具備するプロジェクタ。
【請求項５】
複数の画素を有する表示パネルと、
所定の光源制御信号に従った交流駆動によって前記表示パネルに光を照射する光源と
を備える電気光学装置の駆動方法であって、
所定の周期でタイミング信号を出力し、
前記表示パネルを前記タイミング信号が出力される周期で駆動し、
前記タイミング信号の出力タイミングから前記所定の周期の整数倍の時間が経過する前
までの期間において、当該出力タイミングと所定の関係になるタイミングで、前記光源制
御信号の周波数を所定数範囲内で変更する
ことを特徴とする電気光学装置の駆動方法。
【発明の詳細な説明】
【技術分野】
【０００１】
本発明は、プロジェクタ等の電気光学装置における表示品位を改善する技術に関する。
【背景技術】
【０００２】
液晶パネルのようなライトバルブを用いて縮小画像を生成し、この縮小画像を光学系に
よって拡大して投射するプロジェクタがある。このようなプロジェクタに用いられる光源
としては、高圧放電ランプなどが用いられ、その寿命を延ばすためにパルスや三角波を用
いた交流駆動を行っている（特許文献１参照）。これにより、光源は、極性が切り替わっ
た直後にはその光量が大きくなるため、駆動周波数の２倍の周波数で明滅することになる
。一方、液晶パネルは、例えば、ＰＡＬ方式では５０Ｈｚ、その倍速駆動方式では１００
Ｈｚなど、一定の周波数で駆動され、その駆動周波数に応じて明滅している。
【０００３】
ここで、光源の駆動周波数と液晶パネルの駆動周波数との関係によっては、それぞれの
明滅の成分が干渉して低周波数成分が生成されることがあり、フリッカやスクロールする
帯（スクロールノイズ）となって、表示品質を悪化させることがあった。これを改善する
ために、液晶パネルの駆動周波数に対して、光源の駆動周波数をスクロールノイズが見え
にくい周波数とする技術が開示されている（特許文献２参照）。また、干渉成分が規則性
を持たないように、液晶パネルの駆動とは関係なく、光源の駆動周波数を変更する技術が
開示されている（特許文献３参照）。
【特許文献１】特開２００３−３６９９２号公報
【特許文献２】特開２００３−１５６７９８号公報
【特許文献３】特開２００６−７２１９６号公報
【発明の開示】
【発明が解決しようとする課題】
【０００４】
ここで、特許文献２の技術においては、液晶パネルの駆動周波数によっては、スクロー
ルノイズを低減させるための光源の駆動周波数が寿命に悪影響を与える周波数となる場合
がある。また、特許文献３の技術においては、光源の駆動周波数の変更の態様によっては
、変更後の駆動パルスが映像フレーム毎に類似しているとスクロールノイズが発生するこ
とがあったが、これを回避するためには、駆動周波数を頻繁に変える必要があり、回路負
荷が増大することになる。
【０００５】
本発明は、上述の事情に鑑みてなされたものであり、回路負荷を低減して効率的にスク
ロールノイズの発生を抑えるとともに、光源の寿命への悪影響を低減した電気光学装置、
その駆動方法およびプロジェクタを提供することを目的とする。
【課題を解決するための手段】
【０００６】
上述の課題を解決するため、本発明は、複数の画素を有する表示パネルと、所定の周期
でタイミング信号を出力する信号出力回路と、前記表示パネルを、前記タイミング信号が
出力される周期で駆動する駆動回路と、所定の光源制御信号に従った交流駆動によって前
記表示パネルに光を照射する光源と、前記タイミング信号の出力タイミングから前記所定
の周期の整数倍の時間が経過する前までの期間において、当該出力タイミングと所定の関
係になるタイミングで、前記光源制御信号の周波数を所定数範囲内で変更する周波数制御
回路とを具備することを特徴とする電気光学装置を提供する。この電気光学装置によれば
、１フレーム内のいずれかのタイミングで光源の駆動周波数を変化させることができるか
ら、光源の駆動周波数の変化させる頻度が少なくても、スクロールノイズの発生を抑える
ことができる。また、駆動周波数を所定数範囲内で変化させることにより、光源の寿命に
悪影響がない周波数近傍で光源の駆動を行うことができる。
【０００７】
また、別の好ましい態様において、前記周波数制御回路は、前記タイミング信号の出力
タイミング以降であって、前記光源制御信号が所定の位相となるいずれかのタイミングで
、当該光源制御信号の周波数を変更するようにしてもよい。このようにすると、光源制御
信号の周波数が変更されるタイミングが所定の位相であるときに限定されるから、光源制
御信号の周波数を変更する構成を簡易なものとすることができる。
【０００８】
また、別の好ましい態様において、前記周波数制御回路は、前記タイミング信号の出力
タイミングで、前記光源制御信号の周波数を変更するようにしてもよい。このようにする
と、タイミング信号が出力されたときに光源制御信号の周波数を変更することができるか
ら、１フレーム以上の間隔で光源制御信号の周波数を変更することができる。
【０００９】
なお、本発明は、いずれも電気光学装置のみならず、電気光学装置の駆動方法としても
、さらに、当該電気光学装置を有するプロジェクタとしても概念することができる。
【発明を実施するための最良の形態】
【００１０】
以下、本発明の実施形態について図面を参照して説明する。
【００１１】
＜実施形態＞
図１は、本発明の実施形態に係る電気光学装置を適用したプロジェクタの構成を示す平
面図である。図１に示すように、プロジェクタ２１００の内部には、交流駆動されるハロ
ゲンランプ等の白色光源からなるランプ２１０２が設けられている。
【００１２】
このランプ２１０２から射出された投射光は、内部に配置された３枚のミラー２１０６
および２枚のダイクロイックミラー２１０８によってＲ（赤）、Ｇ（緑）、Ｂ（青）の３
原色に分離されて、各原色に対応する表示パネル１００Ｒ、１００Ｇおよび１００Ｂにそ
れぞれ導かれる。なお、Ｂ色の光は、他のＲ色やＧ色と比較すると、光路が長いことによ
る損失を防ぐために、入射レンズ２１２２、リレーレンズ２１２３および出射レンズ２１
２４からなるリレーレンズ系２１２１を介して導かれる。
【００１３】
表示パネル１００Ｒ、１００Ｇおよび１００Ｂは、後述するように、Ｒ、Ｇ、Ｂの各色
に対応する表示データでそれぞれ駆動され、これにより、各色の縮小画像が形成される。
表示パネル１００Ｒ、１００Ｇ、１００Ｂによってそれぞれ形成された縮小画像、すなわ
ち、変調光は、ダイクロイックプリズム２１１２に３方向から入射する。そして、このダ
イクロイックプリズム２１１２において、Ｒ色およびＢ色の光は９０度に屈折する一方、
Ｇ色の光は直進する。したがって、各色の画像が合成された後、スクリーン２１２０には
、投射レンズ２１１４によってカラー画像が投射されることとなる。
【００１４】
なお、表示パネル１００Ｒ、１００Ｇおよび１００Ｂには、ダイクロイックミラー２１
０８によって、Ｒ、Ｇ、Ｂの各原色に対応する光が入射するため、カラーフィルタを設け
る必要はない。また、表示パネル１００Ｒ、１００Ｂの透過像は、ダイクロイックプリズ
ム２１１２により反射した後に投射されるのに対し、表示パネル１００Ｇの透過像はその
まま投射されるので、表示パネル１００Ｒ、１００Ｂにより形成される縮小画像と、表示
パネル１００Ｇにより形成される縮小画像とは、左右反転の関係にある。
【００１５】
次に、表示パネル１００Ｒ、１００Ｇ、１００Ｂの制御を伴う電気光学装置について説
明する。
【００１６】
図２は、電気光学装置１０の構成を示す図である。図２に示すように、電気光学装置１
０は、制御回路１２、表示パネル１００Ｒ、１００Ｇ、１００Ｂ等を含む。このうち、表
示パネル１００Ｒ、１００Ｇ、１００Ｂの各々は、それぞれＲ、Ｇ、Ｂの原色に対応して
、駆動回路１４Ｒ、１４Ｇ、１４Ｂによってそれぞれ駆動される。
【００１７】
図３は、表示パネル１００Ｒ、駆動回路１４Ｒの構成を示す図である。図３においては
、表示パネル１００Ｒを例にとって説明しているが、表示パネル１００Ｒ、１００Ｇ、１
００Ｂの構成は互いに同一である。そのため、表示パネル１００Ｒについての以下の説明
は、表示パネル１００Ｇ、１００Ｂについても同様に適用されるが、表示パネル１００Ｒ
、１００Ｂにより形成される縮小画像と、表示パネル１００Ｇにより形成される縮小画像
とは、上述したように左右反転の関係となる。
【００１８】
図３に示すように、表示パネル１００Ｒでは、１０８０行の走査線１１２が横方向（Ｘ
方向）に延設され、１９２０列のデータ線１１４が縦方向（Ｙ方向）に延設されている。
縮小画像を形成する複数の画素１１０の各々は、これらの走査線１１２とデータ線１１４
との各交差に対応して配列している。このように、本実施形態において画素１１０は、縦
１０８０行×横１９２０列のマトリクス状に配列されるが、この配列に限定されるもので
はなく、複数の走査線と複数のデータ線との交差に対応して設けられていれば、どのよう
な配列としてもよい。
【００１９】
画素１１０は、液晶素子と、当該液晶素子の一端とデータ線との間でオンまたはオフ状
態となるスイッチングトランジスタ（以下、ＴＦＴという）とを有している。このうち、
液晶素子は、一端と、一定電位に保たれた他端との間で液晶を挟持した一種の容量であり
、その保持電圧の実効値に応じた透過率となる。ＴＦＴは、走査線１１２が選択されると
オンして液晶素子の一端をデータ線１１４に接続する構成となっている。
【００２０】
駆動回路１４Ｒは、走査線１１２を駆動するＹドライバ１４２と、データ線１１４を駆
動するＸドライバ１４４とに分かれ、このうち、Ｙドライバ１４２は、１、２、３、…、
１０８０行目の走査線１１２に走査信号Ｙ１、Ｙ２、Ｙ３、…、Ｙ１０８０を供給する。
詳細には、Ｙドライバ１４２は、本実施形態では、走査線１１２を１、２、３、…、１０
８０行目という順番で選択して、選択した走査線への走査信号を、上記ＴＦＴをオンさせ
るレベルとし、他の走査線への走査信号を、上記ＴＦＴをオフさせるレベルとする。これ
は、後述する制御回路１２から出力される走査制御信号Ｃｒｙによって制御される。一方
、Ｘドライバ１４４は、１、２、３、…、１９２０列目のデータ線１１４にデータ信号Ｘ
１、Ｘ２、Ｘ３、…、Ｘ１９２０を供給する。詳細には、Ｘドライバ１４４は、選択され
た走査線１１２に位置する画素１１０に対して、当該画素の階調値（表示データＤｒで指
定された階調値）に応じた電圧のデータ信号を、データ線１１４に供給する構成となって
いる。ここで、表示データＤｒは、表示パネル１００Ｒの走査に同期して、すなわち後述
する走査制御信号Ｃｒｙに同期して供給されるＲ成分の表示データである。なお、駆動回
路１４Ｇに供給される表示データＤｇ、駆動回路１４Ｂに供給される表示データＤｂは、
それぞれＧ成分、Ｂ成分の表示データである。また、表示データＤｒ、Ｄｇ、Ｄｂを構成
する表示データＶｄは、同期信号Ｓｙｎｃに同期して上位装置（図示省略）から供給され
る。
【００２１】
これにより、当該画素における液晶素子は、階調に応じた電圧を保持することになって
、当該保持電圧に応じた透過率となる。なお、直流成分が印加されると、液晶を劣化させ
る場合があるため、液晶素子の駆動は交流駆動が原則である。そのため、Ｘドライバ１４
４は、同じ液晶素子に供給するデータ信号の電圧を、液晶素子の他端における電位に対し
て、高位側（正極性）と低位側（負極性）とで交互に切り替えて供給する。
【００２２】
図２に戻って説明を続ける。制御回路１２は、電気光学装置１０の各部の動作を制御す
るものである。制御回路１２は、同期信号Ｓｙｎｃに同期した表示データＶｄの表示デー
タＤｒ、Ｄｇ、Ｄｂの供給動作に同期するように、駆動回路１４Ｒ、１４Ｇ、１４Ｂをそ
れぞれ走査制御信号Ｃｒｙ、Ｃｇｙ、Ｃｂｙにより制御する。また、制御回路１２は、後
述する点灯回路２０に対して、光源の駆動信号Ｆｌａの駆動周波数の概ね倍の周波数に対
応する周波数ｆｗの光源制御信号Ｌｆを出力する。ここで、制御回路１２の構成のうち、
走査制御信号Ｃｒｙ、Ｃｇｙ、Ｃｂｙおよび光源制御信号Ｌｆの出力に係る構成について
、図４を用いて説明する。
【００２３】
図４は、制御回路１２の構成を示す図である。図４に示すように、制御回路１２は、入
力される同期信号Ｓｙｎｃに対応して１フレームの期間の周期でタイミング信号ＤＹを出
力し、このタイミング信号ＤＹに対応して生成する走査制御信号Ｃｒｙ、Ｃｇｙ、Ｃｂｙ
を出力する。また、制御回路１２は、タイミング信号が出力されると周波数ｆｗが変更さ
れる光源制御信号Ｌｆを出力する。以下、制御回路１２の各構成について説明する。
【００２４】
信号出力回路１２１は、同期信号Ｓｙｎｃが入力されると、１フレームの期間の周期で
タイミング信号ＤＹを出力する。本実施形態においては、信号出力回路１２１は、ＰＡＬ
方式における５０Ｈｚの同期信号Ｓｙｎｃが入力され、その倍速駆動に対応する１００Ｈ
ｚの周期、すなわち１０ミリ秒ごとにタイミング信号ＤＹを出力する。このタイミング信
号ＤＹは、走査信号制御回路１２２および周波数制御回路１２３に出力される。
【００２５】
走査信号制御回路１２２は、出力されるタイミング信号ＤＹに同期させるとともに、１
フレームの期間を１０ミリ秒とするように、走査制御信号Ｃｒｙ、Ｃｇｙ、Ｃｂｙを生成
し、それぞれ駆動回路１４Ｒ、１４Ｇ、１４Ｂに出力される。これにより、駆動回路１４
Ｒ、１４Ｇ、１４Ｂは、タイミング信号ＤＹが出力される周期で表示パネル１００Ｒ、１
００Ｇ、１００Ｂを駆動する。すなわち、表示パネル１００Ｒ、１００Ｇ、１００Ｂは、
それぞれ１フレームの期間が１０ミリ秒で互いに同期した表示になるように制御される。
【００２６】
周波数制御回路１２３は、後述する制御信号出力回路１２４から出力される光源制御信
号Ｌｆの周波数ｆｗを制御する。この制御は、タイミング信号ＤＹが出力されると、所定
数範囲内の周波数からランダムで選択された周波数に周波数ｆｗを変更することにより行
われる。
【００２７】
この所定数範囲内の周波数は、ランプ２１０２の寿命を長寿命化するとともに、安定し
た光量が得られる推奨駆動周波数の２倍の周波数ｆｃを中心に、±１％程度の範囲として
定められる。周波数ｆｗを変更するタイミングは、タイミング信号ＤＹの出力タイミング
から１フレームの期間が経過する前までの期間において、この出力タイミングと所定の関
係となるタイミングで行われる。なお、周波数制御回路１２３は、タイミング信号ＤＹが
複数回出力されると、周波数ｆｗを変更するようにしてもよい。この場合には、周波数ｆ
ｗを変更するタイミングは、タイミング信号ＤＹの出力タイミングから当該複数フレーム
の期間が経過する前までの期間において、この出力タイミングと所定の関係となるタイミ
ングで行われる。
【００２８】
所定の関係となるタイミングとは、タイミング信号ＤＹの出力タイミング以降であって
、光源制御信号Ｌｆに係るパルス信号が最初に発生したタイミングである。なお、所定の
関係となるタイミングは、このパルス信号が複数回発生したタイミングとしてもよく、光
源制御信号Ｌｆが所定の位相となるいずれかのタイミングであればよい。また、所定の関
係となるタイミングは、タイミング信号ＤＹの出力タイミングであってもよいし、この出
力タイミングから所定時間経過したときのタイミングとしてもよい。
【００２９】
制御信号出力回路１２４は、周波数ｆｗの光源制御信号Ｌｆを点灯回路２０に出力する
。この周波数ｆｗは、上述したように周波数制御回路１２３によって所定のタイミングに
おいて所定数範囲内の周波数で変更される。以上が、制御回路１２の走査制御信号Ｃｒｙ
、Ｃｇｙ、Ｃｂｙおよび光源制御信号Ｌｆの出力に係る構成についての説明である。
【００３０】
図２に戻って説明を続ける。点灯回路２０は、光源制御信号Ｌｆに従って駆動信号Ｆｌ
ａを出力することにより、ランプ２１０２を交流駆動する。具体的には、点灯回路２０は
、光源制御信号Ｌｆに係るパルス信号が発生するタイミングで駆動信号Ｆｌａの極性を切
り替える処理を行う。すなわち、光源制御信号Ｌｆの周波数ｆｗの半分の周波数の交流信
号である駆動信号Ｆｌａがランプ２１０２に出力され、ランプ２１０２が交流駆動される
。ここで、駆動信号Ｆｌａの極性が切り替わるときには、ランプ２１０２の高寿命化のた
めに、駆動信号Ｆｌａのパルスの形状が調整されている（図示省略）。この結果、ランプ
２１０２は、極性が切り替わった直後にはその光量が大きくなるため、周波数ｆｗで明滅
を繰り返している。
【００３１】
次に、本実施形態に係る電気光学装置１０の動作について、光源制御信号Ｌｆの周波数
ｆｗが周波数ｆｃに固定されている場合の従来技術と比較して、図５、図６を用いて説明
する。
【００３２】
図５は、従来技術におけるタイミング信号ＤＹ、光源制御信号Ｌｆおよび駆動信号Ｆｌ
ａの関係を示す図である。図５の横軸は時刻の進行を示している。従来技術においては、
光源制御信号Ｌｆの周波数ｆｗは、周波数ｆｃに固定されているため、１フレームの期間
と周波数ｆｃとの関係によっては、図５に示すように、タイミング信号ＤＹの出力タイミ
ングと制御信号Ｌｆに係るパルス信号が発生するタイミングとの相対的な関係（図中矢印
参照）が、時刻の経過とともに一定量ずつずれていく。その結果、ランプ２１０２の光量
が大きくなるタイミングと、そのタイミングにおいて選択されている走査線の位置が少し
ずつずれていき、スクロールノイズとして認識される。このとき、１フレームの期間と周
波数ｆｃに対応する周期の整数倍の期間とが近い関係にある場合ほど、相対的な関係がゆ
っくりずれていくことにより視認されやすくなるため、スクロールノイズの影響は大きく
なる。
【００３３】
図６は、本実施形態に係る電気光学装置１０におけるタイミング信号ＤＹ、光源制御信
号Ｌｆおよび駆動信号Ｆｌａの関係を示す図である。図６の横軸は時刻の進行を示してい
る。上述したように、光源制御信号Ｌｆの周波数ｆｗは、タイミング信号ＤＹが出力され
ると、所定数範囲内の周波数で変更され、例えば図６に示すように、周波数ｆｗが周波数
Ａ、Ｂ、・・・と変更されていく。これにより、タイミング信号ＤＹの出力タイミングと
光源制御信号Ｌｆに係るパルス信号が発生するタイミングとの相対的な関係（図中矢印参
照）が、時刻の経過とともにずれていくが、従来技術と異なり、そのずれの態様は不規則
に変化する。その結果、ランプ２１０２の光量が大きくなるタイミングと、そのタイミン
グにおいて選択されている走査線の位置が変化しても、このずれの態様が不規則に変化す
るため、スクロールノイズとして認識されない。
【００３４】
ここで、スクロールノイズは、所定のフレームからその次のフレームに移るにつれて、
ランプ２１０２の光量が大きくなるタイミングに選択されている走査線の位置が、一定量
で変化していく場合に顕著に発生する。そのため、１フレームの期間内で光源制御信号Ｌ
ｆの周波数ｆｗを複数回変更させても、スクロールノイズ低減の効果は上がらず、概ね１
フレーム期間以上のタイミングごとに光源制御信号Ｌｆの周波数を変更すればよい。本実
施形態に係る電気光学装置１０においては、タイミング信号ＤＹが出力されると周波数ｆ
ｗを変更するから、周波数ｆｗの変更が１フレームの期間内で複数回行われないようにす
ることができ、回路負荷を低減させることができる。また、周波数ｆｗを周波数ｆｃの近
傍の所定数範囲内の周波数、すなわち推奨駆動周波数の近傍でランプ２１０２を駆動させ
ることができるから、ランプ２１０２の寿命への悪影響を低減することもできる。
【００３５】
以上、本発明の実施形態について説明したが、本発明は以下のように、さまざまな態様
で実施可能である。
【００３６】
＜変形例１＞
上述した実施形態においては、周波数制御回路１２３は、所定数範囲内の周波数からラ
ンダムで選択された周波数に周波数ｆｗを変更していたが、所定数範囲内のいずれかの周
波数に周波数ｆｗが変更されれば、その変更の態様はどのようにしてもよい。例えば、周
波数制御回路１２３は、周波数ｆｗの候補となる所定数範囲内の周波数を複数記憶してお
き、候補となる周波数からランダム、または所定のアルゴリズムで選択して、周波数ｆｗ
を変更するようにしてもよい。なお、所定のアルゴリズムは、周波数ｆｗの変更について
、候補となる周波数の順番を規定するものであれば、どのようなアルゴリズムであっても
よい。
【００３７】
＜変形例２＞
上述した実施形態において、制御信号出力回路１２４は、外部の発振器から所定数範囲
内の特定の周波数の基準信号を取得し、光源制御信号Ｌｆとして出力してもよい。そして
、周波数制御回路１２３は、この基準信号の周波数を変調することによって、制御信号出
力回路１２４から出力される光源制御信号Ｌｆの周波数ｆｗを変更すればよい。ここで、
特定の周波数は、周波数ｆｃとしておけば、ランプ２１０２の寿命への悪影響を少なくす
るとともに、制御信号出力回路１２４は、外部からの基準信号を±１％程度変調するだけ
で周波数ｆｗの光源制御信号Ｌｆを出力することができる。
【００３８】
＜変形例３＞
上述した実施形態においては、電気光学装置１０は、表示パネル１００Ｒ、１００Ｇ、
１００Ｂは透過型の液晶パネルを用いたものであったが、反射型であってもよい。また、
上述した実施形態においては、電気光学装置１０がプロジェクタに適用された場合につい
て説明したが、交流駆動の光源であるバックライトを有する直視型のディスプレイに用い
られてもよい。
【図面の簡単な説明】
【００３９】
【図１】本発明の実施形態に係るプロジェクタの構成を示す平面図である。
【図２】本発明の実施形態に係る電気光学装置の構成を示すブロック図である。
【図３】本発明の実施形態に係る表示パネルの構成を示す図である。
【図４】本発明の実施形態に係る制御回路の構成を示すブロック図である。
【図５】従来の電気光学装置の動作を示す図である。
【図６】本発明の実施形態に係る電気光学装置の動作を示す図である。
【符号の説明】
【００４０】
１０…電気光学装置、１２…制御回路、１４Ｒ、１４Ｇ、１４Ｂ…駆動回路、２０…点灯
回路、１００Ｒ、１００Ｇ、１００Ｂ…表示パネル、１１０…画素、１２１…信号出力回
路、１２２…走査信号制御回路、１２３…周波数制御回路、１２４…制御信号出力回路、
２１００…プロジェクタ
【図１】
2009163079.tif 000003
【図２】
2009163079.tif 000004
【図３】
2009163079.tif 000005
【図４】
2009163079.tif 000006
【図５】
2009163079.tif 000007
【図６】
2009163079.tif 000008